【手続補正書】
【提出日】平成19年7月30日(2007.7.30)
【手続補正１】
【補正対象書類名】明細書
【補正対象項目名】発明の名称
【補正方法】変更
【補正の内容】
【発明の名称】セルラシステムの回線制御方法及びセルラシステム並びにそれに用いる移動局
【手続補正２】
【補正対象書類名】明細書
【補正対象項目名】特許請求の範囲
【補正方法】変更
【補正の内容】
【特許請求の範囲】
【請求項１】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質を測定し、前記第一の受信品質に応じて前記第二の周波数の第二の受信品質の測定を行い、
少なくとも前記第二の受信品質に応じて、前記移動局は前記第一の基地局から前記第二の基地局に回線を切替えて通信を行うようにしたセルラシステムにおける回線制御方法であって、
前記第一の周波数に対するトラヒックに応じて、前記第二の受信品質の測定を行う測定条件を変更制御するステップを含むことを特徴とする回線制御方法。
【請求項２】  前記第二の受信品質の測定を行う測定条件は、前記第一の受信品質が所定の閾値未満であるときとし、
前記測定条件を変更制御するステップでは、前記所定の閾値を前記トラヒックに応じて変更制御することを特徴とする請求項１記載の回線制御方法。
【請求項３】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質を測定するセルラシステムにおける回線制御方法であって、
前記第一の周波数に対するトラヒックと前記第二の受信品質と前記第一の受信品質との差に応じて、前記移動局は前記第一の基地局から前記第二の基地局に回線を切替える制御を行うステップを含むことを特徴とする回線制御方法。
【請求項４】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質の測定を行い、
前記第二の受信品質と前記第一の受信品質との差が所定の閾値以上である時に前記第一の基地局から前記第二の基地局に回線を切替えて通信を行うよう制御するセルラシステムにおける回線制御方法であって、
前記第一の周波数に対するトラヒックを測定し、前記トラヒックに応じて、前記所定の閾値を変更制御するステップを含むことを特徴とする回線制御方法。
【請求項５】  前記トラヒックが所定の範囲外である場合には、前記移動局に対して、前記第二の受信品質を測定しないよう制御するステップを含むことを特徴とする請求項１〜４いずれか記載の回線制御方法。
【請求項６】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第二の周波数の第二の受信品質を測定し、
前記第二の受信品質が所定の閾値以上であるときに、前記第一の基地局から前記第二の基地局に回線を切替えて通信を行うよう制御するセルラシステムにおける回線制御方法であって、
前記第一の周波数に対するトラヒックを測定し、前記トラヒックに応じて、前記所定の閾値を変更制御するステップを含むことを特徴とする回線制御方法。
【請求項７】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、第一の周波数の第一の受信品質を測定し、
前記第一の受信品質に応じて第二の周波数の第二の受信品質を測定し、前記第二の受信品
質に応じて、前記第一の基地局から前記第二の基地局に回線を切替えて通信を行うよう制御するセルラシステムにおける回線制御方法であって、
前記移動局に対する伝送レートに応じて、前記第二の周波数に対する受信品質の測定条件を変更制御するステップを含むことを特徴とする回線制御方法。
【請求項８】  前記第二の受信品質の測定を行う測定条件は、前記第一の受信品質が所定の閾値未満であるときとし、
前記測定条件を変更制御するステップでは、前記所定の閾値を前記伝送レートに応じて変更制御することを特徴とする請求項７記載の回線制御方法。
【請求項９】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質を測定し、
前記第一の基地局から前記第二の基地局に回線を切替えて通信を行うよう制御するセルラシステムにおける回線制御方法であって、
前記移動局に対する伝送レートと前記第二の受信品質と前記第一の受信品質とに応じて、前記第一の基地局から前記第二の基地局への回線の切替えを制御するステップを含むことを特徴とする回線制御方法。
【請求項１０】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と第二の周波数の第二の受信品質を測定し、
前記第二の受信品質と前記第一の受信品質との差が所定の閾値以上である時に前記第一の基地局から前記第二の基地局に回線を切替えて通信を行うよう制御するセルラシステムにおける回線制御方法であって、
前記移動局に対する伝送レートに応じて、前記所定の閾値を変更制御するステップを含むことを特徴とする回線制御方法。
【請求項１１】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第二の周波数の第二の受信品質を測定し、
前記第二の受信品質が所定の閾値以上であるときに、前記第一の基地局から前記第二の基地局に回線を切替えて通信を行うよう制御するセルラシステムにおける回線制御方法であって、
前記移動局に対する伝送レートに応じて、前記所定の閾値を変更制御するステップを含むことを特徴とする回線制御方法。
【請求項１２】  前記第一及び第二の基地局は止まり木チャネルを送信し、前記受信品質はこの止まり木チャネルの受信品質であることを特徴とする請求項１〜１１いずれか記載の回線制御方法。
【請求項１３】  前記第一の基地局において、送信データを時間的に圧縮して送信し、データの送信を中断する空き時間を設けるステップと、
前記移動局において、前記空き時間に前記第二の受信品質を測定するステップを含むことを特徴とする請求項１〜１２いずれか記載の回線制御方法。
【請求項１４】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質を測定し、前記第一の受信品質に応じて前記第二の周波数の第二の受信品質の測定を行い、
少なくとも前記第二の受信品質に応じて、前記移動局は前記第一の基地局から前記第二の基地局に回線を切替えて通信を行うようにしたセルラシステムであって、
前記第一の周波数に対するトラヒックに応じて、前記第二の受信品質の測定を行う測定条件を変更制御する制御手段を含むことを特徴とするセルラシステム。
【請求項１５】  前記第二の受信品質の測定を行う測定条件は、前記第一の受信品質が所定の閾値未満であるときとし、前記制御手段は、前記測定条件を前記所定の閾値を前記トラヒックに応じて変更制御することにより行うことを特徴とする請求項１４記載のセルラシステム。
【請求項１６】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質を測定するセルラシステムであって、
前記第一の周波数に対するトラヒックと前記第二の受信品質と前記第一の受信品質との差に応じて、前記移動局は前記第一の基地局から前記第二の基地局に回線を切替える制御を行う手段を含むことを特徴とするセルラシステム。
【請求項１７】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質の測定を行い、
前記第二の受信品質と前記第一の受信品質との差が所定の閾値以上である時に前記第一の基地局から前記第二の基地局に回線を切替えて通信を行うよう制御するセルラシステムであって、
前記第一の周波数に対するトラヒックを測定し、前記トラヒックに応じて、前記所定の閾値を変更制御する手段を含むことを特徴とするセルラシステム。
【請求項１８】  前記トラヒックが所定の範囲外である場合には、前記移動局に対して、前記第二の受信品質を測定しないよう制御する手段を含むことを特徴とする請求項１４〜１７いずれか記載のセルラシステム。
【請求項１９】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第二の周波数の第二の受信品質を測定し、
前記第二の受信品質が所定の閾値以上であるときに、前記第一の基地局から前記第二の基地局に回線を切替えて通信を行うよう制御するセルラシステムであって、
前記第一の周波数に対するトラヒックを測定し、前記トラヒックに応じて、前記所定の閾値を変更制御する手段を含むことを特徴とするセルラシステム。
【請求項２０】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、第一の周波数の第一の受信品質を測定し、
前記第一の受信品質に応じて第二の周波数の第二の受信品質を測定し、前記第二の受信品質に応じて、前記第一の基地局から前記第二の基地局に回線を切替えて通信を行うよう制御するセルラシステムであって、
前記移動局に対する伝送レートに応じて、前記第二の周波数に対する受信品質の測定条件を変更制御する手段を含むことを特徴とするセルラシステム。
【請求項２１】  前記第二の受信品質の測定を行う測定条件は、前記第一の受信品質が所定の閾値未満であるときとし、
前記制御手段は、前記測定条件を前記所定の閾値を前記伝送レートに応じて変更制御することにより行うことを特徴とする請求項２０記載のセルラシステム。
【請求項２２】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と前記第二の周波数の第二の受信品質を測定し、
前記第一の基地局から前記第二の基地局に回線を切替えて通信を行うよう制御するセルラシステムであって、
前記移動局に対する伝送レートと前記第二の受信品質と前記第一の受信品質とに応じて、前記第一の基地局から前記第二の基地局への回線の切替えを制御する手段を含むことを特徴とするセルラシステム。
【請求項２３】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第一の周波数の第一の受信品質と第二の周波数の第二の受信品質を測定し、
前記第二の受信品質と前記第一の受信品質との差が所定の閾値以上である時に前記第一の基地局から前記第二の基地局に回線を切替えて通信を行うよう制御するセルラシステムであって、
前記移動局に対する伝送レートに応じて、前記所定の閾値を変更制御する手段を含むことを特徴とするセルラシステム。
【請求項２４】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局は、前記第二の周波数の第二の受信品質を測定し、
前記第二の受信品質が所定の閾値以上であるときに、前記第一の基地局から前記前記第二の基地局に回線を切替えて通信を行うよう制御するセルラシステムであって、
前記移動局に対する伝送レートに応じて、前記所定の閾値を変更制御する手段を含むことを特徴とするセルラシステム。
【請求項２５】  前記第一及び第二の基地局は止まり木チャネルを送信し、前記受信品質はこの止まり木チャネルの受信品質であることを特徴とする請求項１４〜２４いずれか記載のセルラシステム。
【請求項２６】  前記第一の基地局は、送信データを時間的に圧縮して送信し、データの送信を中断する空き時間を設けける手段と、
前記移動局は、前記空き時間に第二の受信品質を測定する手段を含むことを特徴とする請求項１４〜２５いずれか記載のセルラシステム。
【請求項２７】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記第一の周波数に対するトラヒックに応じて、前記第二の受信品質の測定を行う測定条件を変更制御し、前記変更した測定条件にしたがって、前記第二の受信品質を測定する指示を前記移動局に対して行うセルラシステムにおける前記移動局であって、
前記第二の受信品質を測定する指示にしたがって前記第二の受信品質を測定することを特徴とする移動局。
【請求項２８】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記第一の周波数に対するトラヒックを測定するセルラシステムにおける前記移動局であって、
前記第一の周波数の第一の回線品質と前記第二の周波数の第二の回線品質とを測定し、
前記第一の周波数に対するトラヒックと前記第二の受信品質と前記第一の受信品質とに応じて、前記第一の基地局から前記第二の基地局に回線を切替えて通信を行うよう制御する制御部を有することを特徴とする移動局。
【請求項２９】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記第一の周波数に対するトラヒックを測定し、前記トラヒックに応じて、所定の閾値を変更制御するセルラシステムにおける前記移動局であって、
前記第一の周波数の第一の回線品質と前記第二の周波数の第二の回線品質とを測定し、
前記第二の受信品質と前記第一の受信品質との差が前記所定の閾値以上である時に、前記第一の基地局から前記第二の基地局に回線を切替えて通信を行うよう制御する制御部を有することを特徴とする移動局。
【請求項３０】第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記第一の周波数に対するトラヒックを測定し、前記トラヒックに応じて、所定の閾値を変更制御するセルラシステムにおける前記移動局であって、
前記第二の周波数の第二の回線品質を測定し、
前記第二の受信品質が前記所定の閾値以上である時に、前記第一の基地局から前記第二の基地局に回線を切替えて通信を行うよう制御する制御部を有することを特徴とする移動局。
【請求項３１】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局に対する伝送レートを測定し、前記伝送レートに応じて、第二の周波数の第二の受信品質を測定する測定条件を変更制御し、前記変更した測定条件にしたがって、前記第二の受信品質を測定する指示を前記移動局に対して行うセルラシステムにおける前記移動局であって、
前記第二の受信品質を測定する指示にしたがって前記第二の受信品質を測定することを特徴とする移動局。
【請求項３２】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局に対する伝送レートを測定するセルラシステムにおける前記移動局であって、
前記第一の周波数の第一の受信品質と前記第二の周波数の第二の受信品質を測定し、
前記移動局に対する伝送レートと前記第二の受信品質と前記第一の受信品質とに応じて、前記第一の基地局から前記第二の基地局に回線を切替えて通信を行うよう制御する制御部を有することを特徴とする移動局。
【請求項３３】  第一の基地局と第二の基地局と移動局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局に対する伝送レートを測定し、前記伝送レートに応じて、所定の閾値を変更制御するセルラシステムにおける前記移動局であって、
前記第一の周波数の第一の受信品質と前記第二の周波数の第二の受信品質を測定し、
前記第二の受信品質と前記第一の受信品質との差が所定の閾値以上である時に前記第一の基地局から前記第二の基地局に回線を切替えて通信を行うよう制御する制御部を有することを特徴とする移動局。
【請求項３４】  移動局と、第一及び第二の基地局とを含み、
前記移動局と前記第一の基地局とは第一の周波数を用いて回線を設定して通信を行い、
前記移動局と前記第二の基地局とは第二の周波数を用いて回線を設定して通信を行い、
前記移動局に対する伝送レートを測定し、前記伝送レートに応じて、所定の閾値を変更制御するセルラシステムにおける前記移動局であって、
前記第二の周波数の第二の受信品質を測定し、
前記第二の受信品質が前記所定の閾値以上であるときに、前記第一の基地局から前記第二の基地局に回線を切替えて通信を行うよう制御する制御部を有することを特徴とする移動局。
【手続補正３】
【補正対象書類名】明細書
【補正対象項目名】０００１
【補正方法】変更
【補正の内容】
【０００１】
【発明の属する技術分野】
本発明はセルラシステムにおける回線制御方法及びセルラシステム並びにそれに用いる移動局に関するものである。
【手続補正４】
【補正対象書類名】明細書
【補正対象項目名】００３２
【補正方法】変更
【補正の内容】
【００３２】
本発明の目的は、回線遮断率を低減し、かつ基地局制御装置の処理能力を効率的に利用するセルラシステムの回線制御方法及びセルラシステム並びにそれに用いる移動局を提供することである。  
【手続補正５】
【補正対象書類名】明細書
【補正対象項目名】００３３
【補正方法】変更
【補正の内容】
【００３３】
【課題を解決するための手段】
本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質を測定し、前記第一の受信品質に応じて前記第二の周波数の第二の受信品質の測定を行い、少なくとも前記第二の受信品質に応じて、前記移動局は前記第一の基地局から前記第二の基地局に回線を切替えて通信を行うようにしたセルラシステムにおける回線制御方法であって、前記第一の周波数に対するトラヒックに応じて、前記第二の受信品質の測定を行う測定条件を変更制御するステップを含むことを特徴とする回線制御方法が得られる。
【手続補正６】
【補正対象書類名】明細書
【補正対象項目名】００３４
【補正方法】変更
【補正の内容】
【００３４】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質を測定するセルラシステムにおける回線制御方法であって、前記第一の周波数に対するトラヒックと前記第二の受信品質と前記第一の受信品質との差に応じて、前記移動局は前記第一の基地局から前記第二の基地局に回線を切替える制御を行うステップを含むことを特徴とする回線制御方法が得られる。
【手続補正７】
【補正対象書類名】明細書
【補正対象項目名】００３５
【補正方法】変更
【補正の内容】
【００３５】
更に本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質の測定を行い、前記第二の受信品質と前記第一の受信品質との差が所定の閾値以上である時に前記第一の基地局から前記第二の基地局に回線を切替えて通信を行うよう制御するセルラシステムにおける回線制御方法であって、前記第一の周波数に対するトラヒックを測定し、前記トラヒックに応じて、前記所定の閾値を変更制御するステップを含むことを特徴とする回線制御方法が得られる。
【手続補正８】
【補正対象書類名】明細書
【補正対象項目名】００３６
【補正方法】変更
【補正の内容】
【００３６】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第二の周波数の第二の受信品質を測定し、前記第二の受信品質が所定の閾値以上であるときに、前記第一の基地局から前記第二の基地局に回線を切替えて通信を行うよう制御するセルラシステムにおける回線制御方法であって、前記第一の周波数に対するトラヒックを測定し、前記トラヒックに応じて、前記所定の閾値を変更制御するステップを含むことを特徴とする回線制御方法が得られる。
【手続補正９】
【補正対象書類名】明細書
【補正対象項目名】００３７
【補正方法】変更
【補正の内容】
【００３７】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質を測定し、前記第一の受信品質に応じて第二の周波数の第二の受信品質を測定し、前記第二の受信品質に応じて、前記第一の基地局から前記第二の基地局に回線を切替えて通信を行うよう制御するセルラシステムにおける回線制御方法であって、前記移動局に対する伝送レートに応じて、前記第二の周波数に対する受信品質の測定条件を変更制御するステップを含むことを特徴とする回線制御方法が得られる。
【手続補正１０】
【補正対象書類名】明細書
【補正対象項目名】００３８
【補正方法】変更
【補正の内容】
【００３８】
更に、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質を測定し、前記第一の基地局から前記第二の基地局に回線を切替えて通信を行うよう制御するセルラシステムにおける回線制御方法であって、前記移動局に対する伝送レートと前記第二の受信品質と前記第一の受信品質とに応じて、前記第一の基地局から前記第二の基地局への回線の切替えを制御するステップを含むことを特徴とする回線制御方法が得られる。
【手続補正１１】
【補正対象書類名】明細書
【補正対象項目名】００３９
【補正方法】変更
【補正の内容】
【００３９】
更に、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と第二の周波数の第二の受信品質を測定し、前記第二の受信品質と前記第一の受信品質との差が所定の閾値以上である時に前記第一の基地局から前記第二の基地局に回線を切替えて通信を行うよう制御するセルラシステムにおける回線制御方法であって、前記移動局に対する伝送レートに応じて、前記所定の閾値を変更制御するステップを含むことを特徴とする回線制御方法が得られる。
【手続補正１２】
【補正対象書類名】明細書
【補正対象項目名】００４０
【補正方法】変更
【補正の内容】
【００４０】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第二の周波数の第二の受信品質を測定し、前記第二の受信品質が所定の閾値以上であるときに、前記第一の基地局から前記第二の基地局に回線を切替えて通信を行うよう制御するセルラシステムにおける回線制御方法であって、前記移動局に対する伝送レートに応じて、前記所定の閾値を変更制御するステップを含むことを特徴とする回線制御方法が得られる。
【手続補正１３】
【補正対象書類名】明細書
【補正対象項目名】００４１
【補正方法】変更
【補正の内容】
【００４１】
更に本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質を測定し、前記第一の受信品質に応じて前記第二の周波数の第二の受信品質の測定を行い、少なくとも前記第二の受信品質に応じて、前記移動局は前記第一の基地局から前記第二の基地局に回線を切替えて通信を行うようにしたセルラシステムであって、前記第一の周波数に対するトラヒックに応じて、前記第二の受信品質の測定を行う測定条件を変更制御する制御手段を含むことを特徴とするセルラシステムが得られる。
【手続補正１４】
【補正対象書類名】明細書
【補正対象項目名】００４２
【補正方法】変更
【補正の内容】
【００４２】
更にはまた、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質を測定するセルラシステムであって、前記第一の周波数に対するトラヒックと前記第二の受信品質と前記第一の受信品質との差に応じて、前記移動局は前記第一の基地局から前記第二の基地局に回線を切替える制御を行う手段を含むことを特徴とするセルラシステムが得られる。
【手続補正１５】
【補正対象書類名】明細書
【補正対象項目名】００４３
【補正方法】変更
【補正の内容】
【００４３】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質の測定を行い、前記第二の受信品質と前記第一の受信品質との差が所定の閾値以上である時に前記第一の基地局から前記第二の基地局に回線を切替えて通信を行うよう制御するセルラシステムであって、前記第一の周波数に対するトラヒックを測定し、前記トラヒックに応じて、前記所定の閾値を変更制御する手段を含むことを特徴とするセルラシステムが得られる。
【手続補正１６】
【補正対象書類名】明細書
【補正対象項目名】００４４
【補正方法】変更
【補正の内容】
【００４４】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第二の周波数の第二の受信品質を測定し、前記第二の受信品質が所定の閾値以上であるときに、前記第一の基地局から前記第二の基地局に回線を切替えて通信を行うよう制御するセルラシステムであって、前記第一の周波数に対するトラヒックを測定し、前記トラヒックに応じて、前記所定の閾値を変更制御する手段を含むことを特徴とするセルラシステムが得られる。
【手続補正１７】
【補正対象書類名】明細書
【補正対象項目名】００４５
【補正方法】変更
【補正の内容】
【００４５】
本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、第一の周波数の第一の受信品質を測定し、前記第一の受信品質に応じて第二の周波数の第二の受信品質を測定し、前記第二の受信品質に応じて、前記第一の基地局から前記第二の基地局に回線を切替えて通信を行うよう制御するセルラシステムであって、前記移動局に対する伝送レートに応じて、前記第二の周波数に対する受信品質の測定条件を変更制御する手段を含むことを特徴とするセルラシステムが得られる。
【手続補正１８】
【補正対象書類名】明細書
【補正対象項目名】００４６
【補正方法】変更
【補正の内容】
【００４６】
また、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と前記第二の周波数の第二の受信品質を測定し、前記第一の基地局から前記第二の基地局に回線を切替えて通信を行うよう制御するセルラシステムであって、前記移動局に対する伝送レートと前記第二の受信品質と前記第一の受信品質とに応じて、前記第一の基地局から前記第二の基地局への回線の切替えを制御する手段を含むことを特徴とするセルラシステムが得られる。
【手続補正１９】
【補正対象書類名】明細書
【補正対象項目名】００４７
【補正方法】変更
【補正の内容】
【００４７】
更に本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第一の周波数の第一の受信品質と第二の周波数の第二の受信品質を測定し、前記第二の受信品質と前記第一の受信品質との差が所定の閾値以上である時に前記第一の基地局から前記第二の基地局に回線を切替えて通信を行うよう制御するセルラシステムであって、前記移動局に対する伝送レートに応じて、前記所定の閾値を変更制御する手段を含むことを特徴とするセルラシステムが得られる。
【手続補正２０】
【補正対象書類名】明細書
【補正対象項目名】００４８
【補正方法】変更
【補正の内容】
【００４８】
更にはまた、本発明によれば、移動局と、第一及び第二の基地局とを含み、前記移動局と前記第一の基地局とは第一の周波数を用いて回線を設定して通信を行い、前記移動局と前記第二の基地局とは第二の周波数を用いて回線を設定して通信を行い、前記移動局は、前記第二の周波数の第二の受信品質を測定し、前記第二の受信品質が所定の閾値以上であるときに、前記第一の基地局から前記前記第二の基地局に回線を切替えて通信を行うよう制御するセルラシステムであって、前記移動局に対する伝送レートに応じて、前記所定の閾値を変更制御する手段を含むことを特徴とするセルラシステムが得られる。
【手続補正２１】
【補正対象書類名】明細書
【補正対象項目名】００４９
【補正方法】変更
【補正の内容】
【００４９】
また、本発明によれば、第一の基地局と第二の基地局と移動局とを含み、前記移動局と前記第一の基地局とは第一の周波数を用いて回線を設定して通信を行い、前記移動局と前記第二の基地局とは第二の周波数を用いて回線を設定して通信を行い、前記第一の周波数に対するトラヒックに応じて、前記第二の受信品質の測定を行う測定条件を変更制御し、前記変更した測定条件にしたがって、前記第二の受信品質を測定する指示を前記移動局に対して行うセルラシステムにおける前記移動局であって、前記第二の受信品質を測定する指示にしたがって前記第二の受信品質を測定することを特徴とする移動局が得られる。
【手続補正２２】
【補正対象書類名】明細書
【補正対象項目名】００５０
【補正方法】変更
【補正の内容】
【００５０】
更に本発明によれば、第一の基地局と第二の基地局と移動局とを含み、前記移動局と前記第一の基地局とは第一の周波数を用いて回線を設定して通信を行い、前記移動局と前記第二の基地局とは第二の周波数を用いて回線を設定して通信を行い、前記第一の周波数に対するトラヒックを測定するセルラシステムにおける前記移動局であって、前記第一の周波数の第一の回線品質と前記第二の周波数の第二の回線品質とを測定し、前記第一の周波数に対するトラヒックと前記第二の受信品質と前記第一の受信品質とに応じて、前記第一の基地局から前記第二の基地局に回線を切替えて通信を行うよう制御する制御部を有することを特徴とする移動局が得られる。
【手続補正２３】
【補正対象書類名】明細書
【補正対象項目名】００７５
【補正方法】変更
【補正の内容】
【００７５】
図５は本発明の第二の実施の形態における異周波数切替え制御部６０６の動作を示すフローチャートである。以下、図５を用いて、異周波数切替え制御部６０６内の制御における動作を説明する。